(57)【要約】【課題】特定機能を禁止する場所へ出入りする携帯通信端末を対象に、ユーザの利便性とセキュリティの実現を両立する機能制限システムを提供する。【解決手段】ユーザはＭＳ赤外線送受信部11をＢＳ赤外線送受信部13へ向けた状態で、携帯電話機20の個人データの送信を選択してユーザ情報16を送信する。カメラ機能制御装置12はＢＳ赤外線送受信部13で受信したユーザ情報16と装置内に登録されている管理データ14を照合し、一致するデータが存在しなければユーザを入場者と認識し、ユーザ情報16をカメラ機能制御装置12に管理データ14として登録して受信処理を終了し、ＢＳ赤外線送受信部13からカメラ制御信号17を送信する。携帯電話機20はこの制御信号17を受信すると受信機能を終了し、カメラ機能の停止設定を行うとともにＬＣＤ表示部にカメラ機能停止表示を行い、制御信号17が受信できなかったときにはエラーメッセージを表示する。【選択図】図４
2006245811.tif 000002
【特許請求の範囲】
【請求項１】
携帯型無線端末に備えられている特定機能の使用を禁止するエリアの出入口に設置された特定機能制御装置と、該特定機能制御装置と近距離無線通信を行って該携帯型無線端末に内蔵されている前記特定機能の使用制御を行う携帯型無線端末とによって構成される携帯型無線端末の特定機能規制システムにおいて、
前記特定機能制御装置は、前記近距離無線通信により前記携帯型無線端末からユーザ情報信号を受信したとき、該携帯型無線端末に対して前記近距離無線通信により前記携帯型無線端末が備える前記特定機能の使用を制御するための制御信号を送信する制御信号送信手段を有しており、
前記携帯型無線端末は、前記特定機能制御装置に対して前記近距離無線通信によりユーザ情報信号を送信するとともに該ユーザ情報信号に対する応答信号として前記特定機能制御装置から送信された前記制御信号を受信する近距離無線通信手段と、該近距離無線通信手段により前記制御信号を受信したとき前記特定機能の使用を制御する特定機能使用制御手段と、該特定機能使用制御手段により前記特定機能の使用停止制御がなされているときに該特定機能使用不可状態を表示するとともに、前記ユーザ情報信号に対する応答信号が所定時間内に受信されなかったときエラーメッセージを表示する表示手段を有している
ことを特徴とする携帯型無線端末の特定機能規制システム。
【請求項２】
前記ユーザ情報信号には電話番号とユーザ名が含まれており、前記特定機能制御装置は、受信した前記ユーザ情報信号から抽出した電話番号とユーザ名を管理データとして登録するとともに前記抽出した電話番号とユーザ名が前記管理データとして登録されているときには該管理データから前記抽出した電話番号とユーザ名を削除する手段と、ユーザが入退場した日にちと時間を前記電話番号及びユーザ名とともにログファイルに蓄積する手段と、を有していることを特徴とする請求項１に記載の携帯型無線端末の特定機能規制システム。
【請求項３】
前記近距離無線通信手段は、赤外線を用いた通信手段であることを特徴とする請求項１または２に記載の携帯型無線端末の特定機能規制システム。
【請求項４】
前記携帯無線端末はカメラ機能付携帯電話機であり、前記特定機能は前記カメラ機能付携帯電話機によるカメラ撮影機能であり、前記特定機能制御装置はカメラ機能制御装置であることを特徴とする請求項１〜３のいずれかに記載の携帯型無線端末の特定機能規制システム。
【請求項５】
請求項４に記載の携帯型無線端末の特定機能規制システムにおいて使用されるカメラ機能付携帯電話機であって、
前記カメラ機能制御装置に対して、前記近距離無線通信により当該カメラ機能付携帯電話機の電話番号とユーザ名を含むユーザ情報信号を送信するとともに、該ユーザ情報信号に対する応答信号として前記カメラ機能制御装置から送信されたカメラ制御信号を受信する近距離無線通信手段と、該近距離無線通信手段により前記カメラ制御信号を受信したときに内蔵カメラ機能の使用制限制御を行うカメラ規制制御手段と、該カメラ規制制御手段によるカメラ撮影不可状態を表示し、前記ユーザ情報信号に対する応答信号が所定時間内に受信されなかったときエラーメッセージを表示する表示手段を有していることを特徴とするカメラ機能付携帯電話機。
【請求項６】
請求項４に記載の携帯型無線端末の特定機能規制システムにおいて使用されるカメラ機能制御装置であって、
前記近距離無線通信により前記カメラ機能付携帯電話機から該携帯電話機の電話番号とユーザ名を含むユーザ情報信号を受信したとき、該携帯電話機に対して前記近距離無線通信により前記携帯電話機のカメラ機能を制限するカメラ制御信号を送信する制御信号送信手段と、受信した前記ユーザ情報信号から抽出した電話番号とユーザ名を管理データとして登録するとともに前記抽出した電話番号とユーザ名が前記管理データとして登録されているときには該管理データから前記抽出した電話番号とユーザ名を削除する手段と、ユーザが入退場した日にちと時間を前記電話番号及びユーザ名とともにログファイルに蓄積する手段と、を有していることを特徴とするカメラ機能制御装置。
【発明の詳細な説明】
【技術分野】
【０００１】
本発明は、携帯型無線端末の特定機能規制システムに関し、特にカメラ機能付携帯電話機による撮影を禁止するエリアにおける撮影規制に好適なシステムに関する。
【背景技術】
【０００２】
昨今の携帯電話機においては、搭載される機能が多様化しており、特にカメラ機能や赤外線通信機能はキャリアを問わずほとんどの携帯電話機が標準で実装している機能となっている。特にカメラ機能に関しては、どこでも簡単に写真が撮影できるという利点が災いして多くの弊害が生まれており、社会的に問題となっている。その問題の一つとして例えば企業の内部情報の漏洩がある。
【０００３】
カメラ付き携帯電話機を持っていれば、外部から来ている人間が会社にとって重要な書類や社内の様子をこっそり撮影して社外へ持ち出したり、逆に内部の人間による意図的な企業秘密の漏洩に使われたりする可能性がある。その対策として、社内へ入場する際に受付で携帯電話機を預かったり、社内の人間に対しては携帯電話機自体を持ち込み禁止にしたりしている。しかしそうすると今度は、社内においてカメラ以外の機能、例えば通話やメールを行ったり、スケジュールの確認などができなくなってしまう等の不便が生じてしまう。
【０００４】
一方、携帯電話機の使用禁止区域を設定し、該使用禁止区域内あるいは該使用禁止区域内に携帯電話機を持って入場する際に、携帯電話機の機能制限を行い、該使用禁止区域外あるいは該使用禁止区域内から退場する際に機能制限の解除を行う技術が、以前より種々提案されている。
【０００５】
例えば特許文献１では、携帯電話機の使用禁止区域内の出入口に、携帯電話装置の使用禁止区域であることを指示する指示信号を発信する無線通信モジュールを設置し、携帯電話機に、該無線通信モジュールから発信された指示信号を受信する受信手段と、該受信手段により受信された指示信号に基づいて携帯電話機の使用者の使用禁止区域への入場または退場のいずれの状態であるかを判定し、使用禁止区域内に入場した時点で携帯電話機の機能制限を行い、前記使用禁止区域から退場した時点で、携帯電話機を元の状態に復帰させるように制御する制御手段を備え、使用禁止区域内における携帯電話機の特定の機能を制限する技術が記載されている。
【０００６】
また、特許文献２では、カメラ機能付き携帯通信端末を携行したユーザが入口より撮影制限エリア内に入場したときに、携帯通信端末に内蔵された近距離無線通信部が、入口に設置された撮影制限情報送信装置の無線送信機からの撮影制限情報を受信し、携帯通信端末のメモリにダウンロードすることにより、ユーザが撮影制限エリア内で上記携帯通信端末を用いて撮影を行う場合に、制御部が、メモリ内の上記撮影制限情報に基づいて撮影動作を規制し、ユーザが出口から撮影制限エリア外へ出るときに、携帯通信端末の近距離無線通信部が、出口に設置されたリセット信号送信機からのリセット信号を受信して、メモリ内に格納されている上記撮影制限情報をリセットして撮影制限を解除する技術が記載されている。
【０００７】
【特許文献１】特開２００３−０４７０４２号公報
【特許文献２】特開２００４−０２３６９２号公報
【発明の開示】
【発明が解決しようとする課題】
【０００８】
上記特許文献１〜２に記載の技術によれば、携帯電話機の持つ特定の機能を禁止するエリア内に入場している携帯電話機に対して、その特定機能の使用を自動的に制限することができる効果があるが、上記エリア内あるいはエリアの出入口に設置された特定機能制限情報送信装置から送信される情報を受信する機能が有効に動作しない携帯電話機あるいはそのような機能を備えていない携帯電話機の場合には、上記効果を得ることができないという問題がある。
【０００９】
本発明の目的は、カメラ機能付き携帯通信端末を携行して撮影禁止の場所へ出入りする者を対象に、赤外線通信等の近距離無線通信の機能を利用してカメラの使用を制限するシステムにおいて、ユーザの利便性とセキュリティの実現を両立することができるシステムを提供することにある。
【課題を解決するための手段】
【００１０】
本発明は、撮影制限エリアの出入口に設置されたカメラ機能制御装置と、該カメラ機能制御装置と近距離無線通信を行って内蔵カメラ機能の使用制限制御を行うカメラ機能付携帯電話機とによって構成されるカメラ機能付携帯電話機の撮影規制システムにおいて、前記カメラ機能制御装置は、前記近距離無線通信により前記カメラ機能付携帯電話機からユーザ情報信号を受信したとき、該携帯電話機に対して前記近距離無線通信により前記携帯電話機のカメラ機能を制限するカメラ制御信号を送信する制御信号送信手段を有しており、前記カメラ機能付携帯電話機は、前記カメラ機能制御装置に対して前記近距離無線通信によりユーザ情報信号を送信するとともに該ユーザ情報信号に対する応答信号として前記カメラ機能制御装置から送信されたカメラ制御信号を受信する近距離無線通信手段と、該近距離無線通信手段により前記カメラ制御信号を受信したときに内蔵カメラ機能の使用制限制御を行うカメラ規制制御手段と、該カメラ規制制御手段によるカメラ撮影不可状態を表示するとともに、前記ユーザ情報信号に対する応答信号が所定時間内に受信されなかったときエラーメッセージを表示する表示手段を有していることを特徴とする。
【００１１】
本発明によれば、撮影制限エリアの出入口に設置されたカメラ機能制御装置とカメラ機能付携帯電話機間の近距離無線通信により、撮影制限エリア内における当該カメラ機能付携帯電話機による撮影を自動的に制限するとともに通話やメール等のカメラ機能以外の機能は使うことができ、また制限不能のカメラ機能付携帯電話機は、その表示部にカメラ撮影規制中の状態が表示されないか、あるいはエラーメッセージが表示されるので、そのようなカメラ機能付携帯電話機については、撮影制限エリア内へ入場する際に受付で携帯電話機を預かったり、携帯電話機自体を持ち込み禁止することにより、ユーザの利便性とセキュリティの実現を両立させることができる。
【００１２】
さらに前記ユーザ情報信号には電話番号とユーザ名を含ませることができ、前記カメラ機能制御装置は、受信した前記ユーザ情報信号から抽出した電話番号とユーザ名を管理データとして登録するとともに前記抽出した電話番号とユーザ名が前記管理データとして登録されているときには該管理データから前記抽出した電話番号とユーザ名を削除する手段と、ユーザが入退場した日にちと時間を前記電話番号及びユーザ名とともにログファイルに蓄積する手段を有する構成とすることにより、来場者の入退場の状況をカメラ制御装置で把握することができ、また万一不正行為が発覚した場合にトレーサビリティを高めることができる。
【００１３】
前記近距離無線通信手段は、例えば赤外線を用いた通信手段によって構成することができる。その場合、例えば企業などへ入場する際、入り口に設置されているカメラ機能制御装置に対して携帯電話機の赤外線通信用の送光部からユーザ情報（自局番号、名前）を送信すると、カメラ機能制御装置は赤外線通信用の受光部で受信したユーザの情報を登録するとともに、カメラ規制制御信号を赤外線通信用の送光部から送信する。携帯電話機の赤外線通信用の受光部でこのカメラ規制制御信号を受信することによりカメラ機能を停止させる。退場する際はカメラ機能停止の状態で携帯電話機から再度個人データを送信し、カメラ機能制御装置で登録されているデータと照合して一致すればカメラ規制制御信号を送信する。携帯電話機はこのカメラ規制制御信号を受信することによりカメラ機能を再開させる。
【発明の効果】
【００１４】
本発明によれば、カメラ付き携帯電話機において撮影禁止の場所へ出入りする際に例えば赤外線通信の機能を利用してカメラ機能の使用を制限することにより、撮影禁止区域でもカメラ機能を規制した状態で通話やメール等カメラ以外の機能を使うことができるとともに、規制不能な携帯電話機を識別して、撮影禁止の場所への持込を禁止することができるので、写真撮影による重要情報の漏洩防止といったセキュリティ上のニーズにも対応することができる。
【００１５】
またカメラ機能制御装置でカメラ付携帯電話機ユーザの入退場を把握することが可能であり、万一不正行為が発覚した場合のトレーサビリティを高めることができる。
【発明を実施するための最良の形態】
【００１６】
図１及び図２は、本発明の実施形態において用いられるカメラ機能付携帯電話機の外観を示す図であり、図１は本実施例の携帯電話機を正面から見た図、図２は背面から見た図である。
【００１７】
図１〜図２において、携帯電話機は、電話あるいはメール等の通信において無線電波を送受信するためのアンテナ１、通信相手の音声を出力する装置であるレシーバ２、携帯電話機の機能に関する各種情報を表示する装置であるＬＣＤ表示部３、携帯電話機におけるユーザインタフェース部のうち、数字や文字を入力する際に使用する装置であるキー入力部４、通話時に自分の音声を入力する装置であるマイク５、ユーザデータ保存用の外部記憶媒体として携帯電話機本体に脱着可能な外部記憶装置９、着信があった時等に点灯してユーザに知らせる装置である発光部１０を有している。
【００１８】
さらに本実施形態の携帯電話機には、写真を撮るための機能としてカメラ６が実装されており、ＬＣＤ表示部３はカメラ撮影モード時にはファインダとしての機能も有している。また、赤外線通信や赤外線リモコンの機能としてのＭＳ赤外線装置１１が実装されている。
【００１９】
図３は、図１〜図２に示す携帯電話機の機能ブロック図であり、電話あるいはメール等の通信では、アンテナ１にて通信相手からの音声データを電波として受信し、制御回路部８を介してデジタル／アナログ変換された音声が、レシーバ２から通信相手の音声として送出される。またマイク５へ入力されたユーザの音声は、制御回路部８を介してアナログ／デジタル変換され、無線周波数で変調されてアンテナ１から電波として送信される。
【００２０】
また、キー入力部４を用いてユーザが入力したデータは、制御回路部８にてどのようなデータか解析され、その結果をＬＣＤ表示部３にてユーザが視覚的に分かるように表示される。カメラ撮影時には、カメラ６を通じて入力された画像は、制御回路部８を介してＬＣＤ表示部３にカメラのファインダ機能として表示される。
【００２１】
図中の記憶装置７は、ユーザが取得したユーザデータを記憶する装置を示している。さらに記憶したユーザデータは制御回路部８を介して外部記憶装置９へも保存可能である。発光部１０は、制御回路部８で指定された発光色にて点灯を行う。赤外線通信においては制御回路部８にて生成された出力波形がＭＳ赤外線装置１１より送出され、また波形受信時はＭＳ赤外線装置１１にて受光し、受信データとして制御回路部８へ送られる。制御回路部８は接続される各装置を統括的に制御する回路である。
【００２２】
図４は、本実施形態のカメラ機能制御の動作を示す図であり、図５は、本実施形態の動作を示すフローチャートである。
【００２３】
カメラ機能制御装置１２はカメラ撮影禁止エリアの出入口近辺に設置されており、カメラ機能の停止／再開を制御する信号を生成してＢＳ赤外線送受信部１３から送信し、入場者の個人情報を管理データ１４としてリストに登録する装置である。ＢＳ赤外線送受信部１３は、通常は受信状態のままで待機している。また、ユーザが入退場した日にちと時間を記録として残しておくログファイル１５を有している。管理データ１４からは現在入場している者が誰か把握することができ、ログファイル１５からは誰がいつ入退場したかを後でトレースすることができる。
【００２４】
ＢＳ赤外線送受信部１３はカメラ機能制御装置１２で生成されたカメラ制御信号１７を送信し、ユーザ情報１６を受信する装置である。携帯電話機２０は赤外線通信の機能を搭載している携帯電話機であり、ＭＳ赤外線送受信部１１は赤外線通信に使用する赤外線ＬＥＤである。カメラ制御信号１７はカメラ機能の停止／再開を制御するトリガー信号であり、ユーザ情報１６はユーザの個人情報である携帯電話機の電話番号及びユーザの名前とする。
【００２５】
まずカメラ機能を停止する場合の動作を説明する。ユーザはＭＳ赤外線送受信部１１をＢＳ赤外線送受信部１３へ向けた状態で、携帯電話機２０のメニュー項目から赤外線通信の個人データの送信を選択し、ユーザ情報１６を送信する。送信したら送信処理は終了し、次に受信処理を開始して待機する。
【００２６】
カメラ機能制御装置１２はＢＳ赤外線送受信部１３で受信したユーザ情報１６と装置内に登録されている管理データ１４を照合し、一致するデータが存在しなければユーザを入場者と認識し、ユーザ情報１６をカメラ機能制御装置１２に管理データ１４として登録する。そして受信処理を終了し、ＢＳ赤外線送受信部１３からカメラ制御信号１７を送信する。
【００２７】
携帯電話機２０はＢＳ赤外線送受信部１３から送出されたカメラ制御信号１７を受信すると受信機能を終了し、カメラ機能の停止設定を行うとともに、ＬＣＤ表示部３にカメラ機能規制中であることを表示する。ここで、カメラ機能制御装置１２は管理データ１４にリストへ登録した日にちと時間を付加したデータを装置内のログファイル１５へ書き込む。これによりどのユーザがいつ入場したかを管理することができる。
【００２８】
次にカメラ機能を再開する場合の動作を説明する。前述のカメラ機能停止動作と同様に携帯電話機２０からユーザ情報１６を送信する。ＢＳ赤外線送受信部１３で受信すると、カメラ機能制御装置１２はそのデータと登録してある管理データ１４を照合し、データが存在すれば退場者と認識してＢＳ赤外線送受信部１３からカメラ制御信号１７を送信して、登録してある管理データ１４を消去する。
【００２９】
携帯電話機２０はＭＳ赤外線送受信部１１でカメラ制御信号１７を受信すると、カメラ機能の停止解除設定を行うとともに、ＬＣＤ表示部３のカメラ機能規制中表示を消す。ここで、カメラ機能制御装置１２は管理データ１４にリストから消去した日にちと時間を付加したデータを装置内のログファイル１５へ書き込む。これによりどのユーザがいつ退場したかを管理することができる。
【００３０】
また、カメラ制御信号１７の受信動作時において、携帯電話機２０が一定時間何の信号も受信されないと判断した場合、赤外線受信機能を終了し、その旨のメッセージをＬＣＤ表示部３へ表示する。
【００３１】
従って、カメラ規制が設定されない携帯電話機には、ＬＣＤ表示部３のカメラ機能規制中表示がなされないので、カメラ機能規制中表示がされていないカメラ機能付携帯電話機は、カメラ機能が規制されていないものとして撮影禁止の場所への持込を禁止することができる。カメラ機能が規制されている場合には、ＬＣＤ表示部３には例えば図７−１に示すような表示がなされる。
【００３２】
次にカメラ機能の停止及び解除設定に関して、図５のカメラ機能規制の処理フローチャートを参照して詳細に説明する。
【００３３】
ここで図中のカメラ規制中フラグとは、携帯電話機の記憶装置で持っており、このフラグがＯＮの時は携帯電話機のカメラ撮影機能が規制中で使用不可能である状態を表し、ＯＦＦの時は規制が解除され使用可能である状態を表すのに使用される。また携帯電話機はカメラ制御信号を受信した際、このフラグのＯＮ／ＯＦＦの状態を見てカメラ機能の停止／再開の設定の判断を行う。
【００３４】
まずユーザが携帯電話機のメニュー項目から赤外線通信によるユーザ情報の送信を選択し、その後、赤外線受信処理を開始する（ＳＴ５−１）。そしてカメラ制御信号を受信したら（ＳＴ５−２）、その時点で赤外線受信処理を終了させる（ＳＴ５−３）。次に現在のカメラ規制の状態を判定する（ＳＴ５−４）。携帯電話機の記憶装置で持っているカメラ規制中フラグがＯＮであったらカメラ機能の規制を解除し（ＳＴ５−５）、カメラ規制中フラグをＯＦＦにする（ＳＴ５−６）。
【００３５】
そして携帯電話機のＬＣＤ表示部に表示されているカメラ機能の規制中を表す表示を消去する（ＳＴ５−７）。また、カメラ規制中フラグがＯＦＦであったらカメラ機能の停止設定を行い（ＳＴ５−８）、カメラ規制中フラグをＯＮにする（ＳＴ５−９）。そして携帯電話機のＬＣＤ表示部３にカメラ機能規制中を表す表示を例えば図７−１に示すよう点ける（ＳＴ５−１０）。
【００３６】
また赤外線受信処理において、カメラ制御信号以外の赤外線通信用の信号を受信した場合（ＳＴ５−１１）は、通常の赤外線通信処理を行う（ＳＴ５−１２）。受信処理は何らかの信号を受信するまで継続するが、何の信号も受信せず一定時間経過した場合（ＳＴ５−１３）、ＬＣＤ表示部３にタイムアウトのエラーメッセージを表示し処理を中断する。
【００３７】
撮影禁止エリアの入口では、入場する際に、カメラ機能制御装置１２との間の赤外線通信によりＬＣＤ表示部３にカメラ規制中が表示された携帯電話機の入場は許可するが、カメラ規制中が表示されていないカメラ機能付携帯電話機については、受付で当該携帯電話機を預かったり、携帯電話機自体を持ち込み禁止する措置をとることができる。なお、カメラ機能を備えていない携帯電話機は入場規制の対象外であり、当然入場許可される。
【００３８】
上記実施形態では、カメラ機能の規制をその対象としているが、カメラ機能規制以外に通話やメール等の通信規制を行う場合、あるいは携帯電話機に搭載されている全機能を規制する場合、あるいはカメラ機能規制とこれらを組み合わせて、カメラ撮影禁止区域内でさらに通話禁止区域や携帯電話機の機能全てを不可とするような高いセキュリティを要する区域を設ける場合にも本発明を適用することができる。
【００３９】
図６は、本発明の他の実施形態における処理を示すフローチャートである。
【００４０】
本実施形態では、カメラ規制、通信規制、全機能規制の信号を送信する制御装置はそれぞれ個別にあるものとし、さらに各々の規制は独立して制御可能としている。但し全機能規制中でも赤外線通信のユーザ情報送信は使用可能とする。以下、図６を参照して本実施形態の動作について詳細に説明する。
【００４１】
前述の図５で説明した処理（ＳＴ５−２〜ＳＴ５−１０）に加えて通信制御信号を受信した場合と全機能制御信号を受信した場合の処理を付加する。ここで図中の通信規制中フラグとは、携帯電話機の記憶装置で持っており、このフラグがＯＮの時は携帯電話機の通信機能が規制中で使用不可能である状態を表し、ＯＦＦの時は規制が解除され使用可能である状態を表すのに使用される。
【００４２】
また携帯電話機は通信制御信号を受信した際、このフラグのＯＮ／ＯＦＦの状態を見て通信機能の停止／再開の設定の判断を行う。さらに全機能規制中フラグとは、携帯電話機の記憶装置で持っており、このフラグがＯＮの時は携帯電話機の全機能が規制中で使用不可能である状態を表し、ＯＦＦの時は規制が解除され使用可能である状態を表すのに使用される。また携帯電話機は全機能制御信号を受信した際、このフラグのＯＮ／ＯＦＦの状態を見て全機能の停止／再開の設定の判断を行う。
【００４３】
まずユーザが携帯電話機のメニュー項目から赤外線通信によるユーザ情報の送信を選択し、その後、赤外線受信処理を開始する（ＳＴ６−１）。そして通信制御信号を受信したら（ＳＴ６−１１）、その時点で赤外線受信処理を終了させる（ＳＴ６−１２）。次に現在の通信規制の状態を判定する（ＳＴ６−１３）。携帯電話機の記憶装置で持っている通信規制中フラグがＯＮであったら通信機能の規制を解除し（ＳＴ６−１４）、通信規制中フラグをＯＦＦする（ＳＴ６−１５）。
【００４４】
そして携帯電話機のＬＣＤ表示部に表示されている通信規制中を表す表示を消去する（ＳＴ６−１６）。また、通信規制中フラグがＯＦＦであったら通信機能の停止設定を行い（ＳＴ６−１７）、通信規制中フラグをＯＮする（ＳＴ６−１８）。そして携帯電話機のＬＣＤ表示部に通信規制中を表す表示を点ける（ＳＴ６−１９）。全機能制御信号を受信したら（ＳＴ６−２０）、その時点で赤外線受信処理を終了させる（ＳＴ６−２１）。
【００４５】
次に現在の全機能規制の状態を判定する（ＳＴ６−２２）。携帯電話機の記憶装置で持っている全機能規制中フラグがＯＮであったら全機能の規制を解除し（ＳＴ６−２３）、全機能規制中フラグをＯＦＦする（ＳＴ６−２４）。そして携帯電話機のＬＣＤ表示部に表示されている全機能規制中を表す表示を消去する（ＳＴ６−２５）。
【００４６】
また、全機能規制中フラグがＯＦＦであったら全機能の停止設定を行い（ＳＴ６−２６）、全機能規制中フラグをＯＮする（ＳＴ６−２７）。そして携帯電話機のＬＣＤ表示部に全機能規制中を表す表示を点ける（ＳＴ６−２８）。ここで、ＬＣＤ表示部の通信規制中及び全機能規制中を表す表示例を図７−２、７−３に示す。また、図７−４は各制御信号を全て受信した時の表示例である。
【００４７】
また赤外線受信処理において、これらの制御信号以外の赤外線通信用の信号を受信した場合（ＳＴ６−２９）は、通常の赤外線通信処理を行う（ＳＴ６−３０）。受信処理は何らかの信号を受信するまで継続するが、何の信号も受信せず一定時間経過した場合は（ＳＴ６−３１）、ＬＣＤ表示部にタイムアウトのエラーメッセージを表示し（ＳＴ６−３２）、処理を中断する。
【００４８】
そして、各機能規制エリアの入口では、入場する際に、カメラ機能制御装置１２との間の赤外線通信によりＬＣＤ表示部３に図７−２、７−３または図７−４に示す規制表示がなされた携帯電話機の入場は許可するが、規制表示されていないカメラ機能付携帯電話機については、受付で当該携帯電話機を預かったり、携帯電話機自体を持ち込み禁止する措置をとることができる。
【図面の簡単な説明】
【００４９】
【図１】本発明の実施形態において用いられるカメラ機能付携帯電話機の外観（正面）を示す図である。
【図２】図１に示すカメラ機能付携帯電話機の外観（背面）を示す図である。
【図３】図１に示すカメラ機能付携帯電話機の機能ブロック図である。
【図４】本実施形態のカメラ機能制御の動作を示す図である。
【図５】本実施形態のカメラ機能制御の処理を示すフローチャートである。
【図６】本発明の他の実施形態おける処理を示すフローチャートである。
【図７】各種規制表示のＬＣＤ表示例を示す図である。
【符号の説明】
【００５０】
１  アンテナ
２  レシーバ
３  ＬＣＤ表示部
４  キー入力部
５  マイク
６  カメラ
７  記憶装置
８  制御回路部
９  外部記憶装置
１０  発光部
１１  ＭＳ赤外線装置
１２  カメラ機能制御装置
１３  ＢＳ赤外線送受信部
１４  管理データ
１５  ログファイル
１６  ユーザ情報
１７  カメラ制御信号
２０  携帯電話機
【図１】
2006245811.tif 000003
【図２】
2006245811.tif 000004
【図３】
2006245811.tif 000005
【図４】
2006245811.tif 000006
【図５】
2006245811.tif 000007
【図６】
2006245811.tif 000008
【図７】
2006245811.tif 000009